(57)【特許請求の範囲】
【請求項１】
デジタル方式液晶画像表示素子の偏光角度を調整するための偏光角度調整素子を含む画像表示装置において、スクリーンに投影される光を感知して電気的な信号に変換するための光センサと、所定の周波数及び振幅を有する第１矩形波駆動信号と前記第１矩形波駆動信号より周波数が高くて振幅が小さい第２矩形波駆動信号とを加算して前記偏光角度調整素子の駆動信号に印加し、前記第２矩形波駆動信号の１周期間のレベル変化による前記光センサの電気的な信号の差分値を用いて、前記スクリーンの輝度変化の差分が最低になるべく第１矩形波駆動信号の電圧を制御する駆動制御回路とを含むことを特徴とする画像表示素子の駆動電圧制御装置。
【請求項２】
前記光センサは前記スクリーンの画像表示領域を外れた縁部に設けることを特徴とする請求項１に記載の画像表示素子の駆動電圧制御装置。
【請求項３】
前記縁部は黒色表示領域であることを特徴とする請求項２に記載の画像表示素子の駆動電圧制御装置。
【請求項４】
前記駆動制御回路は、前記偏光角度調整素子の駆動電圧−光学特性グラフが逆放物線特性を有し、縁部に設けられた前記光センサにより感知された光学特性の最適値が前記逆放物線グラフにて最低値に達すべく前記第１矩形波駆動信号の電圧を制御することを特徴とする請求項１に記載の画像表示素子の駆動電圧制御装置。
【請求項５】
前記第１矩形波駆動信号はフレーム単位で正負が反転することを特徴とする請求項１に記載の画像表示素子の駆動電圧制御装置。
【請求項６】
前記第２矩形波駆動信号は前記第１矩形波駆動信号に比べて周波数は少なくとも１０倍高く設定し、振幅は少なくとも１／１０に低く設定することを特徴とする請求項１に記載の請求項１に記載の画像表示素子の駆動電圧制御装置。
【請求項７】
前記駆動制御回路は、前記光センサから変換された電気的な信号を入力し、前記第２矩形波駆動信号が負である領域で入力信号を所定電圧にクランプして出力させるためのクランプ部と、前記クランプ部から出力された信号を入力し、前記第２矩形波駆動信号が正である領域で入力信号をサンプリングしてホールドさせるためのサンプリング及びホールド部と、前記サンプリング及びホールド部でホールドされた電圧と前記クランプ部の所定電圧とを比較し、前記ホールドされた電圧が前記所定電圧より低い場合には第１制御信号を生成し、前記ホールドされた電圧が前記所定電圧より高い場合には第２制御信号を生成するための比較器と、前記第１矩形波駆動信号を入力し、前記比較器にて第１制御信号が印加される場合には前記第１矩形波駆動信号の電圧を上昇させ、第２制御信号が印加される前記第１矩形波駆動信号の電圧を下降させるための電圧調整部と、前記電圧調整部から出力される信号に前記第２矩形波駆動信号を加算するためのミキサとを含むことを特徴とする請求項１に記載の画像表示素子の駆動電圧制御装置。
【請求項８】
前記駆動制御回路は、前記光センサから変換された電気的な信号を入力し、前記第２矩形波駆動信号が正である領域で入力信号を所定電圧にクランプして出力させるためのクランプ部と、前記クランプ部から出力された信号を入力し、前記第２矩形波駆動信号が負である領域で入力信号をサンプリングしてホールドさせるためのサンプリング及びホールド部と、前記サンプリング及びホールド部でホールドされた電圧と前記クランプ部の所定電圧とを比較し、前記ホールドされた電圧が前記所定電圧より低い場合には第２制御信号を生成し、前記ホールドされた電圧が前記所定電圧より高い場合には第１制御信号を生成するための比較器と、前記第１矩形波駆動信号を入力し、前記比較器にて第１制御信号が印加される場合には前記第１矩形波駆動信号の電圧を上昇させ、第２制御信号が印加される前記第１矩形波駆動信号の電圧を下降させるための電圧調整部と、前記電圧調整部から出力される信号に前記第２矩形波駆動信号を加算するためのミキサとを含むことを特徴とする請求項１に記載の画像表示素子の駆動電圧制御装置。
【請求項９】
前記所定電圧は０Ｖに設定することを特徴とする請求項７または８に記載の画像表示素子の駆動電圧制御装置。
【請求項１０】
アナログ方式液晶画像表示素子の駆動電圧を制御する装置において、スクリーンに投影される光を感知して電気的な信号に変換するための光センサと、所定の周波数及び振幅を有する第１矩形波駆動信号と前記第１矩形波駆動信号より周波数が高くて振幅が小さい第２矩形波駆動信号とを加算して前記アナログ方式液晶画像表示素子の駆動信号に印加し、前記第２矩形波駆動信号の１周期間のレベル変化による前記光センサの電気的な信号の差分値を利用して、前記スクリーンの輝度変化の差分が最低になるべく第１矩形波駆動信号の電圧を制御する駆動制御回路とを含み、
前記光センサは前記スクリーンの画像表示領域を外れ、黒色表示領域である縁部に設けることを特徴とする画像表示素子の駆動電圧制御装置。
【請求項１１】
前記駆動制御回路は、前記アナログ方式液晶画像表示素子の駆動電圧−光学特性グラフが逆放物線特性を有し、縁部に設けられた前記光センサにより感知された光学特性の最適値が前記逆放物線グラフにて最低値に達すべく前記第１矩形波駆動信号の電圧を制御することを特徴とする請求項１０に記載の画像表示素子の駆動電圧制御装置。
【請求項１２】
前記第１矩形波駆動信号はフレーム単位で正負が反転することを特徴とする請求項１０に記載の画像表示素子の駆動電圧制御装置。
【請求項１３】
前記第２矩形波駆動信号は前記第１矩形波駆動信号に比べて周波数は少なくとも１０倍高く設定し、振幅は少なくとも１／１０に低く設定することを特徴とする請求項１０に記載の画像表示素子の駆動電圧制御装置。
【請求項１４】
前記駆動制御回路は、前記光センサから変換された電気的な信号を入力し、前記第２矩形波駆動信号が負である領域で入力信号を所定電圧にクランプして出力させるためのクランプ部と、前記クランプ部から出力された信号を入力し、前記第２矩形波駆動信号が正である領域で入力信号をサンプリングしてホールドさせるためのサンプリング及びホールド部と、前記サンプリング及びホールド部でホールドされた電圧と前記クランプ部の所定電圧とを比較し、前記ホールドされた電圧が前記所定電圧より低い場合には第１制御信号を生成し、前記ホールドされた電圧が前記所定電圧より高い場合には第２制御信号を生成するための比較器と、前記第１矩形波駆動信号を入力し、前記比較器にて第１制御信号が印加される場合には前記第１矩形波駆動信号の電圧を上昇させ、第２制御信号が印加される前記第１矩形波駆動信号の電圧を下降させるための電圧調整部と、前記電圧調整部から出力される信号に前記第２矩形波駆動信号を加算するためのミキサとを含むことを特徴とする請求項１０に記載の画像表示素子の駆動電圧制御装置。
【請求項１５】
前記駆動制御回路は、前記光センサから変換された電気的な信号を入力し、前記第２矩形波駆動信号が正である領域で入力信号を所定電圧にクランプして出力させるためのクランプ部と、前記クランプ部から出力された信号を入力し、前記第２矩形波駆動信号が負である領域で入力信号をサンプリングしてホールドさせるためのサンプリング及びホールド部と、前記サンプリング及びホールド部でホールドされた電圧と前記クランプ部の所定電圧とを比較し、前記ホールドされた電圧が前記所定電圧より低い場合には第２制御信号を生成し、前記ホールドされた電圧が前記所定電圧より高い場合には第１制御信号を生成するための比較器と、前記第１矩形波駆動信号を入力し、前記比較器にて第１制御信号が印加される場合には前記第１矩形波駆動信号の電圧を上昇させ、第２制御信号が印加される前記第１矩形波駆動信号の電圧を下降させるための電圧調整部と、前記電圧調整部から出力される信号に前記第２矩形波駆動信号を加算するためのミキサとを含むことを特徴とする請求項１０に記載の画像表示素子の駆動電圧制御装置。
【請求項１６】
前記所定電圧は０Ｖに設定することを特徴とする請求項１６または１７に記載の画像表示素子の駆動電圧制御装置。
【請求項１７】
アナログ式液晶画像表示素子の駆動電圧を制御する方法において、
（ａ）所定の周波数及び振幅を有する第１矩形波駆動信号と前記第１矩形波駆動信号より周波数が高くて振幅が小さい第２矩形波駆動信号とを加算して前記アナログ式液晶画像表示素子の駆動信号に印加する段階と、（ｂ）スクリーンの画像表示領域を外れ、黒色表示領域である縁部にて光を感知して電気的な信号に変換するための段階と、（ｃ）前記第２矩形波駆動信号の１周期間のレベル変化による前記光センサの電気的な信号の差分値を利用して、前記スクリーンの輝度変化の差分が最低になるべく第１矩形波駆動信号の電圧を制御する段階とを含むことを特徴とする画像表示素子駆動電圧制御方法。
【請求項１８】
前記段階（ｃ）は前記液晶画像表示素子の駆動電圧−光学の逆放物線グラフ特性を利用し、縁部にて感知された光学特性の最適値が前記逆放物線グラフにて最低値に達すべく前記第１矩形波駆動信号の電圧を制御することを特徴とする請求項１７に記載の画像表示素子駆動電圧制御方法。
【請求項１９】
前記第１矩形波駆動信号はフレーム単位で正負が反転することを特徴とする請求項１７に記載の画像表示素子駆動電圧制御方法。
【請求項２０】
前記第２矩形波駆動信号は前記第１矩形波駆動信号に比べて周波数は少なくとも１０倍高く設定し、振幅は少なくとも１／１０に低く設定することを特徴とする請求項１７に記載の画像表示素子駆動電圧制御方法。
【請求項２１】
前記段階（ｃ）は、（ｃ１）前記段階（ｂ）にて変換された電気的な信号を入力し、前記第２矩形波駆動信号が負である領域で入力信号を所定電圧にクランプさせるための段階と、（ｃ２）前記段階（ｃ１）にてクランプされた信号を入力し、前記第２矩形波駆動信号が正である領域で入力信号をサンプリングしてホールドさせるための段階と、（ｃ３）前記段階（ｃ２）でホールドされた電圧と前記所定電圧とを比較し、前記ホールドされた電圧が前記所定電圧より低い場合には前記第１矩形波駆動信号の電圧を上昇させ、前記ホールドされた電圧が前記所定電圧より高い場合には前記第１矩形波駆動信号の電圧を下降させるための段階とを含むことを特徴とする請求項１７に記載の画像表示素子駆動電圧制御方法。
【請求項２２】
前記段階（ｃ）は、（ｃ１）前記段階（ｂ）にて変換された電気的な信号を入力し、前記第２矩形波駆動信号が正である領域で入力信号を所定電圧にクランプさせるための段階と、（ｃ２）前記段階（ｃ１）にてクランプされた信号を入力し、前記第２矩形波駆動信号が負である領域で入力信号をサンプリングしてホールドさせるための段階と、（ｃ３）前記段階（ｃ２）でホールドされた電圧と前記所定電圧とを比較し、前記ホールドされた電圧が前記所定電圧より低い場合には前記第１矩形波駆動信号の電圧を下降させ、前記ホールドされた電圧が前記所定電圧より高い場合には前記第１矩形波駆動信号の電圧を上昇させるための段階とを含むことを特徴とする請求項１７に記載の画像表示素子駆動電圧制御方法。
【請求項２３】
前記所定電圧は０Ｖに設定することを特徴とする請求項２１または２２に記載の画像表示素子駆動電圧制御方法。
【発明の詳細な説明】
【０００１】
【発明の属する技術分野】
本発明は画像表示駆動制御装置及び方法に係り、特に液晶画像表示素子と画像が表示されるスクリーンまたは投影レンズの間に光センサを設けて光センサの出力信号を利用し、液晶表示素子の駆動電圧をフィードバック制御してコントラストを最適状態に維持するための画像表示素子の駆動電圧制御装置及び方法に関する。
【０００２】
【従来の技術】
図１に示されたように、従来の技術による画像表示装置は、反射型画像表示素子１、偏光角度調整素子２、偏光ビームスプリッタ（ＰＢＳ；Ｐｏｌａｒｉｚｅｄ Ｂｅａｍ Ｓｐｌｉｔｔｅｒ）３、投射レンズ４、集光レンズ５、光源ランプ６及び偏光板７より構成されている。
【０００３】
従来の技術による画像表示装置の基本的な動作を説明すれば、光源ランプ６から放射された光は集光レンズ５を通じ、偏光板７で一方向の偏光光になった後でＰＢＳ３に入射される。ＰＢＳ３は入射される光のうち、例えばＰ波は透過させ、Ｓ波は反射させ光の進行方向を９０度変える。
【０００４】
ＰＢＳ３で反射されるＳ波は偏光角度調整素子２を経由して画像表示素子１に入射され、画像表示素子１では画素に図２（ａ）に示されたような画像データが記入されている。画素に印加される電圧により画素がＯＮまたはＯＦＦ状態になり、画像表示素子１上で再び反射された光はＯＮ状態の場合にだけ偏光角度調整素子２、ＰＢＳ３、偏光板７及び投射レンズ４を経由してスクリーンに投影される。
【０００５】
画像表示素子１に液晶を利用する場合、液晶に一定極性の電圧を加え続ければ、液晶分子が一方向に磁性化されて動作しなくなる現象が起こるので、それを防止するために図２（ａ）のように、一定期間ごとに画像データを反転して交流駆動をする必要がある。しかし、反転した映像をそのまま表示すれば、画像の白黒が反転された映像になってしまうために、偏光角度調整素子２を図２（ｂ）のように、画像信号（ａ）に同期させて反転駆動を行い、画像信号が反転である場合には、偏光角度調整素子２で再び反転して非反転のような光として出力する。
【０００６】
一方、画像表示素子１にアナログ方式液晶画像表示素子を利用する場合は、画素に図３（ａ）のように映像信号を印加する。この場合にも、ＩｍａｇｅＳｔｉｃｋｉｎｇを防止するために交流駆動を行うのであるが、液晶素子自体の対向基盤電極の電圧を中心として交流駆動を行うので偏光角度調整素子２は必要ない。
【０００７】
前述の如く、画像表示素子１としてデジタル方式を利用した場合、偏光角度調整素子２の駆動電圧が正常な状態（図２（ｂ））から、部品の劣化や、温度変化などにより映像信号電圧の振幅が小さくなり、図２（ｃ）のような状態になりうる。このような現象が起これば、画像がコントラストが低下する問題点が生じる。また、図２（ｄ）のように交流駆動の非反転、反転電圧が中心電圧から非対称になってしまう場合、コントラストの低下だけでなく、画面にフリッカ（明滅、ちらつき）が観測され、画質が低下し、観察者に見づらい画像が生じる問題点があった。
【０００８】
同様に、画像表示素子としてアナログ方式を利用した場合も画像信号駆動電圧が図３（ａ）の正常な状態から振幅が小さくなった場合（図３（ｂ））や、中心電圧が対向基盤電極電圧から外れてしまった場合（図３（ｃ））、コントラストの低下や画面フリッカが生じる問題点があった。
【０００９】
【特許文献１】
韓国公開特許Ｎｏ．９５−２２９３７
【発明が解決しようとする課題】
本発明がなそうとする技術的課題は前述の問題点を解決するために温度変化や部品の経時的変化により画像表示素子及び周辺回路の駆動電圧が最適値から外れることを防止するために、画像表示素子と画像が表示されるスクリーンまたは投影レンズ間に光センサを設け、光センサの出力信号を利用して画像表示素子及び周辺回路の駆動電圧を最適化さすべくフィードバック制御して液晶表示素子のコントラストを最適調整し、フリッカ除去を行うための画像表示素子の駆動電圧制御装置及び方法を提供するところにある。
【００１０】
【課題を解決するための手段】
前記技術的課題を達成するために、本発明の第１実施形態による画像表示素子の駆動電圧制御装置は、デジタル方式液晶画像表示素子の偏光角度を調整するための偏光角度調整素子を含む画像表示装置において、スクリーンに投影される光を感知して電気的な信号に変換するための光センサ、所定の周波数及び振幅を有する第１矩形波駆動信号と前記第１矩形波駆動信号より周波数が高くて振幅が小さい第２矩形波駆動信号とを加算して前記偏光角度調整素子の駆動信号に印加し、前記第２矩形波駆動信号の１周期間のレベル変化による前記光センサの電気的な信号の差分値を利用して、前記スクリーンの輝度変化の差分が最低になるべく第１矩形波駆動信号の電圧を制御する駆動制御回路を含むことを特徴とする。
【００１１】
前記他の技術的課題を達成するために本発明の第２実施形態による画像表示素子の駆動電圧制御装置は、アナログ方式液晶画像表示素子の駆動電圧を制御する装置において、スクリーンに投影される光を感知して電気的な信号に変換するための光センサ、所定の周波数及び振幅を有する第１矩形波駆動信号と前記第１矩形波駆動信号より周波数が高くて振幅が小さい第２矩形波駆動信号とを加算して前記アナログ方式液晶画像表示素子の駆動信号に印加し、前記第２矩形波駆動信号の１周期間のレベル変化による前記光センサの電気的な信号の差分値を利用して、前記スクリーンの輝度変化の差分が最低になるべく第１矩形波駆動信号の電圧を制御する駆動制御回路を含み、光センサはスクリーンの画像表示領域を外れ、黒色表示領域である縁部に設けることを特徴とする。
【００１２】
前記さらに他の技術的課題を達成するために本発明による画像表示素子駆動電圧制御方法は、アナログ式液晶画像表示素子の駆動電圧を制御する方法において、（ａ）所定の周波数及び振幅を有する第１矩形波駆動信号と前記第１矩形波駆動信号より周波数が高くて振幅が小さい第２矩形波駆動信号とを加算して前記アナログ式液晶画像表示素子の駆動信号に印加する段階、（ｂ）スクリーンの画像表示領域を外れ、黒色表示領域である縁部にて光を感知して電気的な信号に変換するための段階及び（ｃ）前記第２矩形波駆動信号の１周期間のレベル変化による前記光センサの電気的な信号の差分値を利用して、前記スクリーンの輝度変化の差分が最低になるべく第１矩形波駆動信号の電圧を制御する段階を含むことを特徴とする。
【００１３】
【発明の実施の形態】
以下、添付された図面を参照して本発明の実施例を詳細に説明する。
【００１４】
図４に示されたように、本発明が適用された背面投射型画像表示装置は反射型画像表示素子１、偏光角度調整素子２、ＰＢＳ３、投射レンズ４、集光レンズ５、光源ランプ６、偏光板７、光センサ８、投射スクリーン９及び駆動制御回路１０を含む。
【００１５】
光センサ８は投射レンズ４から投射される画像表示素子１の枠部分の光を感知し、それを光電変換した電気信号を駆動制御回路１０に送ることにより偏光角度調整素子２の駆動電圧を制御する。図５は画像表示素子１の表面を示したものであり、画像表示領域１１及び縁部１２より構成される。縁部１２には黒表示がさるべく電圧が印加される。縁部１２は画像表示領域のような画素構造より構成されていてもよく、単一電極板より構成されていてもよい。光センサ８は縁部１２の反射光を感知すべく設けられる。この縁部１２は画像表示をする時に遮光されているので、画像に影響を及ぼさない。また、図４では光センサ８が投射スクリーン９の内側に装着されている。しかし、前面投射型画像表示装置の場合などは投射レンズの前に装着されていても本発明の実施形態を適用できるということは当然である。
【００１６】
図６は画像表示装置の縁部１２に黒い表示をした時の偏光角度調整素子２の駆動電圧−光学特性のグラフである。偏光角度調節素子２は駆動電圧−光学特性が１４である場合、駆動電圧（中心電圧からの電位差）が１３である時に最も暗くなる。すなわち、コントラストが高く表示される。従って、偏光角度調整素子２の駆動電圧をこの駆動電圧１３に合せればよい。しかし、この駆動電圧−光学特性は偏光角度調整素子２の温度や、変化により移動する。例えば、低温である時は１５のような曲線になり、高温である時は１６のような曲線になる。従って、駆動電圧も周囲温度の変化に合わせて調節する必要がある。
【００１７】
図７及び図８に基づいて偏光角度調整素子２の駆動電圧制御方法を説明する。図７に示されたように、駆動制御回路１０はクランプ部１８、サンプリング及びホールド部１９、比較器２０、電圧調整部２１及びミキサ２２を含む。
【００１８】
図７及び図８にて、２４はクランプ信号（以下、Ｃｐ信号）、２５はサンプルホールド信号（以下、Ｓｐ信号）、２６は反転駆動信号（別名、第１矩形波駆動信号）、２７は微細振幅矩形波信号（別名、第２矩形波駆動信号）である。そして、２８は偏光角度調整素子２３の駆動波形であり、従来の駆動方法の反転駆動信号２６より１０〜４０倍程度高い周波数の微細振幅矩形波信号２７を重複加算したものである。微細振幅矩形波の振幅は反転駆動信号振幅の１０〜２０分の１ほどならばよい。
【００１９】
Ｃｐ信号２４は微細振幅矩形波信号２７が負（−）である時に「ハイ（Ｈｉｇｈ）」になり、クランプ回路１８において、光センサの出力信号は０Ｖにクランプされる。次に、Ｓｐ信号２５が微細振幅矩形波が正（＋）である時「ハイ」になり、サンプリング及びホールド部１９はＳｐ信号２５が「ハイ」の区間での光センサ１７出力信号の電位をコンデンサなどに蓄積して記憶する。
【００２０】
光センサ１７の出力信号が図８（ｆ）に示された２９のように得られた場合、Ｓｐ信号により蓄積される電圧は負になり、偏光角度調整素子２３の駆動電圧が大きい方が光センサ１７で感知された輝度出力が小さいために、図９の偏光角度調整素子の駆動電圧−光学特性グラフにおいて３１の状態であることが分かる。従って、最適のコントラストを得るためには駆動電圧を上げればよい。反対に、光センサ１７の出力信号が図８（ｇ）に示された３０のように得られた場合、Ｓｐ信号により蓄積される電圧は正になり、偏光角度調整素子２３の駆動電圧が大きい方が光センサの輝度出力が大きいために、図９のグラフにおいて３２の状態であることが分かる。従って、最適のコントラストを得るためには駆動電圧を下げればよい。
【００２１】
比較器２０では以上のように、サンプリング及びホールド部１９が蓄積した電位の正／負により、駆動電圧を上下に変化させる命令を電圧調整部２１に送る。電圧調整部２１では反転駆動信号２６に同期され、比較器２０から入力された命令により駆動電圧の調整を行う。また、ミキサ２２では微細振幅矩形波２７を加算した駆動信号２８を偏光角度調整素子２３に印加する。そして光センサ１７の出力信号が入力され、再び以上のような動作が反復される光フィードバック制御動作を反復する。
【００２２】
このようにして、駆動電圧の調整を行い続ければ、最終的にはサンプリング及びホールド部１９の出力が０Ｖ付近になり、図９の３３の状態で平衡状態になるので、最適のコントラストを生じさせるための駆動電圧を得られる。
【００２３】
以上の一実施形態では、Ｃｐ信号２４は微細振幅矩形波が負である時「ハイ」になって０Ｖにクランプされ、正である時にサンプリングホールドされたが、本発明の他の実施形態として微細振幅矩形波が正である時に０Ｖにクランプされ、負である時にサンプリングホールドし、前述のような方法で図９のグラフを解釈して駆動電圧を制御できる。
【００２４】
図１０は図７に示された駆動制御回路の細部的な回路構成の一実施形態である。
【００２５】
本回路は上下２段がほとんど同じ構成になっており、上段回路１００ａは反転駆動信号２６が正である場合の電圧制御を行い、下段回路１００ｂは負である場合の電圧制御を行う。従って、Ｃｐ信号、Ｓｐ信号も、ＡＮＤ回路４８，４９とインバータ５０とにより上半部１００ａは反転駆動信号２６が正である時だけ、下段回路１００ｂは負である時だけパルスを生じる。
【００２６】
本回路はコンデンサ３４とスイッチ３５とによるクランプ回路、スイッチ３７とコンデンサ３８によるサンプリング＆ホールド回路、＋入力端子を接地した演算増幅器４０による比較器、スイッチ４１、抵抗４２、コンデンサ４３、バッファ４４、可変抵抗器４５、スイッチ４６による電圧調整回路、演算増幅器４７と入力端抵抗５４による微細振幅信号加算器（ミキサ）により構成される。
【００２７】
光センサ１７の出力信号は、コンデンサ３４により直流成分を除去し、Ｃｐ信号が「ハイ」である時に０Ｖにクランプされる。次に、Ｓｐ信号が「ハイ」になればスイッチ３７がオンになり、光センサ出力信号の電荷がコンデンサ３８に蓄積される。演算増幅器４０はこのコンデンサ３８の電位を逆相出力し、スイッチ４１がオンの期間（Ｃｐ信号と同一）に抵抗４２とコンデンサ４３とにより決まる時定数でコンデンサ４３の電荷を調整する。そして、バッファ４４及び可変抵抗器４５を通過してスイッチ４６に印加される。スイッチ４６は反転駆動信号２６が正である時は上段回路１００ａの駆動電圧を選択し、負である時は下段回路１００ｂの駆動電圧を選択する。そして、演算増幅器４７と入力端抵抗５４とより構成された加算器で微細振幅信号矩形波信号２７を加算して最終的に偏光角度調整素子の駆動信号２８を出力する。
【００２８】
本回路は反転駆動信号が正である時と、負である時に独立した２つの回路を有することにより、偏光拡張性素子の最適駆動電圧が平行移動した場合だけではなく、伸張されたり圧縮された場合などあらゆる変化に対応して最適のコントラストを得られることを特徴とする。
【００２９】
次に、本発明をアナログ方式画像表示素子に適用した実施形態を図１１に示した。アナログ方式画像表示素子を利用した場合はデジタル方式の画像表示素子に比べて偏光角度調整素子が不要になる。従って、図５の縁部１２に、図８（ｃ）の駆動信号２８を印加し、その反射光を光センサ８で感知し、これを利用してデジタル方式の画像表示装置ですでに説明したような方法で映像信号の駆動電圧を制御する。この場合の駆動回路の細部ブロック図を図１２に図示した。
【００３０】
図１２において、５１は映像信号、５２は映像信号を交流駆動するためのビデオ駆動回路である。画像表示素子５３の縁部には微細振幅信号加算器２２の出力信号を印加し、画像表示領域には映像信号駆動回路（ビデオミキサ）５２の出力信号を印加することによりデジタル方式画像表示素子を利用した時のような制御方法により最適のコントラストとフリッカとを抑制する制御を実現できる。
【００３１】
【発明の効果】
前述のように、本発明によれば画像表示素子の縁部に微細な駆動電圧の振幅変化を付与し、その光学的変化を感知してこれを利用して駆動電圧を調整することにより、画像表示素子及び周辺装置の温度による特性の変化や、経時的な特性変化に関係なく最適のコントラストに画像を表示でき、フリッカによるちらつき（明滅）を最小限に抑制できる効果が生じる。
【００３２】
本発明は方法、装置、システムなどとして実行できる。ソフトウェアで実行される時、本発明の構成手段は必然的に必要な作業を実行するコードセグメントである。プログラムまたはコードセグメントはプロセッサ判読可能媒体に保存され、さらに伝送媒体または通信網で搬送波と結合されたコンピュータデータ信号により伝送されうる。プロセッサ判読可能媒体は情報を貯蔵または伝送できるいかなる媒体も含む。プロセッサ判読可能媒体の例としては、電子回路、半導体メモリ素子、ＲＯＭ、フラッシュメモリ、ＥＲＯＭ（Ｅｒａｓａｂｌｅ ＲＯＭ）、フロッピディスク、光ディスク、ハードディスク、光ファイバ媒体、無線周波数（ＲＦ）網などがある。コンピュータデータ信号は電子網チャンネル、光ファイバ、空気、電子系、ＲＦ網などのような伝送媒体上に伝播されうるいかなる信号も含まれる。
【００３３】
添付された図面に示されて説明された特定の実施形態は単に本発明の例として理解され、本発明の範囲を限定するものではなく、本発明が属する技術分野で本発明に記述された技術的思想の範囲でも多様な他の変更が生じうるので、本発明は示されたり記述された特定の構成及び配列に制限されないことは自明である。
【図面の簡単な説明】
【図１】従来の技術によるデジタル方式反射型画像表示素子を利用した画像表示装置の構成図である。
【図２】（ａ）−（ｄ）はデジタル方式反射型画像表示装置での偏光角度調整素子の駆動電圧波形である。
【図３】アナログ方式液晶画像表示素子の駆動電圧波形である。
【図４】本発明が適用された背面投射型画像表示装置の構成図である。
【図５】画像表示装置の表面（画像表示領域と縁部）を示した図である。
【図６】偏光角度調整素子の駆動電圧−光学特性グラフを示した図である。
【図７】図４に示された駆動制御回路の細部ブロック構成図である。
【図８】（ａ）−（ｇ）は図７に適用される各種駆動信号の波形図である。
【図９】本発明を説明するための偏光角度調整素子の駆動電圧−光学特性グラフを示した図である。
【図１０】図７に示された駆動制御回路の一実施形態による回路構成図である。
【図１１】本発明が適用されたアナログ方式画像表示素子を利用した画像表示装置の構成図である。
【図１２】図１１に示された駆動制御回路の細部ブロック図である。
【符号の説明】
１    反射型画像表示素子
２    偏光角度調整素子
３    偏光ビームスプリッタ
４    投射レンズ
５    集光レンズ
６    光源ランプ
７    偏光板
８    光センサ
９    投射スクリーン
１０  駆動制御回路
【図１】
0003799327.tif 000002
【図２】
0003799327.tif 000003
【図３】
0003799327.tif 000004
【図４】
0003799327.tif 000005
【図５】
0003799327.tif 000006
【図６】
0003799327.tif 000007
【図７】
0003799327.tif 000008
【図８】
0003799327.tif 000009
【図９】
0003799327.tif 000010
【図１０】
0003799327.tif 000011
【図１１】
0003799327.tif 000012
【図１２】
0003799327.tif 000013